(57)【要約】【課題】既存のＵ型側溝からＬ型側溝への改修に要する手間とコストを大幅に削減できる画期的なＬ型側溝施工方法の提供。【解決手段】地面ａに埋設設置されたＵ型側溝用ブロック１の上部を切断除去して、その断面Ｕ型の切り残しブロック体１Ａの上部にブロック収容空間ｓを形成し、この切り残しブロック体１Ａの左右の立ち上がり側壁１ａ上に架設状態にしてこの切り残しブロック体１を上方から閉塞するように前記Ｌ型側溝用ブロック２をブロック収容空間ｓに配した上で、このブロック収容空間ｓにコンクリート，モルタルなどの硬化性材料３を打設し、これを固化することで前記切り残しブロック体１Ａの上部のブロック収容空間ｓに前記Ｌ型側溝用ブロック２を収容固定すると共に、このＬ型側溝用ブロック２の下部にして前記切り残しブロック体１Ａの内部をＬ型側溝用排水路４とする。【選択図】図１
2008240358.tif 000002
【特許請求の範囲】
【請求項１】
地面に埋設設置されたＵ型側溝用ブロックの上部を切断除去して、その断面Ｕ型の切り残しブロック体の上部にブロック収容空間を形成し、この切り残しブロック体の左右の立ち上がり側壁上に架設状態にしてこの切り残しブロック体を上方から閉塞するように前記Ｌ型側溝用ブロックをブロック収容空間に配した上で、このブロック収容空間にコンクリート，モルタルなどの硬化性材料を打設し、これを固化することで前記切り残しブロック体の上部のブロック収容空間に前記Ｌ型側溝用ブロックを収容固定すると共に、このＬ型側溝用ブロックの下部にして前記切り残しブロック体の内部をＬ型側溝用排水路とすることを特徴とするＬ型側溝施工方法。
【請求項２】
前記Ｕ型側溝用ブロックは、コンクリート蓋，グレーチングなどの蓋体を開口上部に配するための蓋設置用段部を開口上部側に設けた構成とし、このＵ型側溝用ブロックの前記蓋設置用段部より下部位置からこのＵ型側溝用ブロックの上部を切断除去して、切り残しブロック体の上部に前記蓋体の厚みよりも高い高さ寸法を有するブロック収容空間を形成することを特徴とする請求項１記載のＬ型側溝施工方法。
【請求項３】
前記切り残しブロック体の左右の立ち上がり側壁上に架設状態にしてこの切り残しブロック体を上方から閉塞するように前記Ｌ型側溝用ブロックを配する際、この立ち上がり側壁の上部載置面に載置支承される脚部を、前記Ｌ型側溝用ブロックの左右両端側に夫々下方突出状態に設け、この脚部は、前記Ｌ型側溝用ブロックからの下方突出量を可変調整自在に構成し、この脚部の下方突出量を調整設定することで、前記切り残しブロック体の左右の立ち上がり側壁上に架設状態に配する前記Ｌ型側溝用ブロックの高さ位置，若しくは傾斜姿勢を調整設定することを特徴とする請求項１，２のいずれか１項に記載のＬ型側溝施工方法。
【請求項４】
前記切り残しブロック体の左右の立ち上がり側壁の上部載置面に連結凹部を設け、この左右の立ち上がり側壁上に架設状態にして前記ブロック体を上方から閉塞するようにＬ型側溝用ブロックを配する際、このＬ型側溝用ブロックの脚部を前記連結凹部内に配してこの立ち上がり側壁の上部載置面に載置支承させると共に、この連結凹部内に充填した接着剤により脚部を連結凹部内に固定することで、この切り残しブロック体と前記Ｌ型側溝用ブロックとを連結固定することを特徴とする請求項３記載のＬ型側溝施工方法。
【請求項５】
前記切り残しブロック体の左右の立ち上がり側壁上に架設状態にしてこの切り残しブロック体を上方から閉塞するようにブロック収容空間に配した前記Ｌ型側溝用ブロックの下面と、これと対向する前記立ち上がり側壁上面との間隙にシーリング部材を配し、前記ブロック収容空間に前記硬化性材料を打設する際、前記間隙を通過して硬化性材料が切り残しブロック体内に流入されることを前記シーリング部材によって阻止しつつこの硬化性材料の打設作業を行うことを特徴とする請求項１〜４のいずれか１項に記載のＬ型側溝施工方法。
【発明の詳細な説明】
【技術分野】
【０００１】
本発明は、路面に埋設設置された既存のＵ型側溝を利用してＬ型側溝を施工する方法に関するものである。
【背景技術】
【０００２】
従来から、道路脇などに設置して当該道路の排水を行う側溝が様々提案されており、例えば特許文献１に開示されるように、断面Ｌ型のコンクリートブロック（Ｌ型側溝用ブロック）を地面に埋設設置する構造のＬ型側溝や、また例えば特許文献２に開示されるように、断面Ｕ型のコンクリートブロック（Ｕ型側溝用ブロック）を地面に埋設設置すると共にその開口上部に蓋体（コンクリート蓋，グレーチングなど）を閉塞配設する構造のＵ型側溝などが知られる。
【０００３】
一般に、底浅な前記Ｌ型側溝は路面の排水を目的として、つまり雨水用の排水路として設置され、一方、Ｕ型側溝は、路面の排水だけでなく生活廃水などの汚水用の排水路としての目的も兼ねて設置される。
【０００４】
従って、雨水だけでなく汚水も流すＵ型側溝は、それだけゴミやヘドロなどの汚れが残留し易く、定期的な清掃が必要である。しかし、重い前記蓋体を一々開閉しなければならない為、Ｕ型側溝の清掃は作業性が悪く作業者への負担も大きいという問題を有した。
【０００５】
また、このＵ型側溝は、車両などが通過するたびに蓋体がガタつき、騒音を発生するという問題を有するうえに、しかもこのガタつきによる衝撃が、蓋体やＵ型側溝用ブロックの破損などの劣化原因となり耐久性にも問題を有した。また、老朽劣化の進行により蓋体が破損して溝穴が開口露呈した状態となると、その溝穴に足をとられるなどして大変危険で、安全性にも問題を有した。
【０００６】
ところで、近年、公共衛生上の観点から、雨水と汚水とを別々の水路で排水する分流式下水道の整備が進んでいる。これに伴い、これまで雨水と汚水とを流していたにも関わらず、分流式下水道の整備により雨水しか流れなくなった既存のＵ型側溝が多数存在する。
【０００７】
従って、かかるＵ型側溝の蓋体の問題（清掃の作業性、蓋体のガタつきによる騒音や耐久性，安全性の問題）を解消すべく、この雨水しか流れなくなった既存のＵ型側溝を、上記Ｌ型側溝に改修したいという要望が急増している。
【０００８】
【特許文献１】特開２００６−１３８０６８号公報
【特許文献２】特開２００５−１０５５１４号公報
【発明の開示】
【発明が解決しようとする課題】
【０００９】
このＵ型側溝からＬ型側溝への改修作業としては、例えば図７に図示したように、先ず既存のＵ型側溝のＵ型側溝用ブロックを地面から掘り出し、その掘り出しスペースにＬ型側溝用排水路としてヒューム管を配したうえで、この掘り出しスペースを土などで埋め、その上にＬ型側溝用ブロックを配する施工方法（以下、「従来例」という）がある。
【００１０】
従って、先ずＵ型側溝用ブロックを掘り出す作業が必要で、またＬ型側溝用排水路としてヒューム管を配管する必要があり、更に掘り出しスペースを土などで埋める作業のほか、Ｌ型側溝の集水部（グレーチング部など）と、前記ヒューム管とを連通状態に通水接続する構造も必要で、それだけ多くの手間とコストとを要した。
【００１１】
仮に既存のＵ型側溝を地面から掘り出さず、その上部にＬ型側溝を設置することとした場合、Ｕ型側溝用ブロックを掘り出す作業は省くことができる。しかしＬ型側溝用ブロックは一部に肉薄部位を有しそれだけ耐久性が低い形状の為、このＬ型側溝用ブロックの下部、即ちＵ型側溝用ブロック内を土などで埋める必要がある。つまり、結局Ｕ型側溝用ブロック内にヒューム管を配し、この溝内を土などで埋め、その上にＬ型側溝用ブロックを配することでＬ型側溝の補強を図る必要があり、またＬ型側溝とＵ型側溝内に埋設されたヒューム管とを連通状態に通水接続する構造も必要で、やはり多くの手間とコストとを要した。
【００１２】
このように、従来、Ｕ型側溝からＬ型側溝への改修作業には多くの手間とコストとを要し、これが側溝改修の大規模な実施への妨げとなっている。
【００１３】
本発明は、上述のような問題点に鑑み、これまでになく簡単且つ効率的に既存のＵ型側溝からＬ型側溝への改修作業を実施でき、側溝改修に要する手間とコストを大幅に削減できる画期的なＬ型側溝施工方法を提供することを課題とする。
【課題を解決するための手段】
【００１４】
添付図面を参照して本発明の要旨を説明する。
【００１５】
地面ａに埋設設置されたＵ型側溝用ブロック１の上部を切断除去して、その断面Ｕ型の切り残しブロック体１Ａの上部にブロック収容空間ｓを形成し、この切り残しブロック体１Ａの左右の立ち上がり側壁１ａ上に架設状態にしてこの切り残しブロック体１を上方から閉塞するように前記Ｌ型側溝用ブロック２をブロック収容空間ｓに配した上で、このブロック収容空間ｓにコンクリート，モルタルなどの硬化性材料３を打設し、これを固化することで前記切り残しブロック体１Ａの上部のブロック収容空間ｓに前記Ｌ型側溝用ブロック２を収容固定すると共に、このＬ型側溝用ブロック２の下部にして前記切り残しブロック体１Ａの内部をＬ型側溝用排水路４とすることを特徴とするＬ型側溝施工方法に係るものである。
【００１６】
また、前記Ｕ型側溝用ブロック１は、コンクリート蓋，グレーチングなどの蓋体11を開口上部に配するための蓋設置用段部12を開口上部側に設けた構成とし、このＵ型側溝用ブロック１の前記蓋設置用段部12より下部位置からこのＵ型側溝用ブロック１の上部を切断除去して、切り残しブロック体１Ａの上部に前記蓋体11の厚みよりも高い高さ寸法を有するブロック収容空間ｓを形成することを特徴とする請求項１記載のＬ型側溝施工方法に係るものである。
【００１７】
また、前記切り残しブロック体１Ａの左右の立ち上がり側壁１ａ上に架設状態にしてこの切り残しブロック体１Ａを上方から閉塞するように前記Ｌ型側溝用ブロック２を配する際、この立ち上がり側壁１ａの上部載置面に載置支承される脚部５を、前記Ｌ型側溝用ブロック２の左右両端側に夫々下方突出状態に設け、この脚部５は、前記Ｌ型側溝用ブロック２からの下方突出量を可変調整自在に構成し、この脚部５の下方突出量を調整設定することで、前記切り残しブロック体１Ａの左右の立ち上がり側壁１ａ上に架設状態に配する前記Ｌ型側溝用ブロック２の高さ位置，若しくは傾斜姿勢を調整設定することを特徴とする請求項１，２のいずれか１項に記載のＬ型側溝施工方法に係るものである。
【００１８】
また、前記切り残しブロック体１Ａの左右の立ち上がり側壁１ａの上部載置面に連結凹部６を設け、この左右の立ち上がり側壁１ａ上に架設状態にして前記ブロック体１Ａを上方から閉塞するようにＬ型側溝用ブロック２を配する際、このＬ型側溝用ブロック２の脚部５を前記連結凹部６内に配してこの立ち上がり側壁１ａの上部載置面に載置支承させると共に、この連結凹部６内に充填した接着剤７により脚部５を連結凹部６内に固定することで、この切り残しブロック体１Ａと前記Ｌ型側溝用ブロック２とを連結固定することを特徴とする請求項３記載のＬ型側溝施工方法に係るものである。
【００１９】
また、前記切り残しブロック体１Ａの左右の立ち上がり側壁１ａ上に架設状態にしてこの切り残しブロック体１Ａを上方から閉塞するようにブロック収容空間ｓに配した前記Ｌ型側溝用ブロック２の下面と、これと対向する前記立ち上がり側壁１ａ上面との間隙にシーリング部材８を配し、前記ブロック収容空間ｓに前記硬化性材料３を打設する際、前記間隙を通過して硬化性材料３が切り残しブロック体１Ａ内に流入されることを前記シーリング部材８によって阻止しつつこの硬化性材料３の打設作業を行うことを特徴とする請求項１〜４のいずれか１項に記載のＬ型側溝施工方法に係るものである。
【発明の効果】
【００２０】
本発明は上述のようにＵ型側溝用ブロックの上部を切断することとしたから、十分な高さスペースを有するブロック収容空間を切り残しブロック体の上部に形成でき、それだけ厚みのある、つまり強度の高いＬ型側溝用ブロックをブロック収容空間に配することができる。
【００２１】
それ故、本発明はＬ型側溝用ブロックの下部、即ち切り残しブロック体の溝内部を土などで埋めてＬ型側溝用ブロックを補強する必要はなく、切り残しブロック体の内部を空としたままこの切り残しブロック体の上部にＬ型側溝用ブロックを架設状態に配することができる。これにより切り残しブロック体の内部のフリースペースをそのままＬ型側溝用排水路として利用できることになる。
【００２２】
従って、本発明は、Ｕ型側溝用ブロックを掘り出す作業は不要で、またＬ型側溝用ブロックの下部を土などで埋めて補強を図る必要も無く、更にＬ型側溝用排水路としてのヒューム管も配する必要がなく、それだけ簡単に作業効率良く既存のＵ型側溝をＬ型側溝へと改修できる。よって、本発明は、既存のＵ型側溝からＬ型側溝へと改修する作業に要した多大な手間とコストを大幅に削減できる極めて画期的で実用性に秀れたＬ型側溝施工方法となる。
【００２３】
また、請求項２記載の発明においては、切り残しブロック体の上部に、十分な厚みを有する強度の高いＬ型側溝用ブロックを配するに足る十分なスペースを確実に確保でき、本発明の上記秀れた作用効果を一層確実に奏することができる。
【００２４】
また、請求項３，４記載の発明においては、脚部の下方突出量の調整によって切り残しブロック体の上部に配するＬ型側溝用ブロックの高さ位置や傾斜姿勢を調整できる。即ち、路面に対するＬ型側溝用ブロックの高さ調整や、路面排水に必要なＬ型側溝用ブロックの排水勾配の適宜調整などこの種のＬ型側溝に必須の調整作業を、前記脚部の突出量調整によって簡単且つ確実に図り得、この種のＬ型側溝の施工方法として一層作業性及び実用製に秀れる。また特に請求項４記載の発明においては、Ｌ型側溝用ブロックの高さ調整や排水勾配の調整を図るこの脚部が、Ｌ型側溝用ブロックと切り残しブロック体との固定連結杆としての機能も発揮し、よって高さ調整や排水勾配の調整のみならずＬ型側溝用ブロックを切り残しブロック体の上部に堅固に固定連結できる一層秀れた施工方法となる。
【００２５】
また、請求項５記載の発明においては、切り残しブロック体の立ち上がり側壁の上面と、Ｌ型側溝用ブロックの下面とによってシーリング部材を挟み保持するから、この切り残しブロック体とＬ型側溝用ブロックとの間隙に簡単にシーリング部材を固定状態に配することができ、よってブロック収容空間に打設する硬化性材料が切り残しブロック体内に流入するトラブルを簡単且つ良好に阻止できる一層作業性に秀れた施工方法となる。
【発明を実施するための最良の形態】
【００２６】
好適と考える本発明の実施形態（発明をどのように実施するか）を、図面に基づいて本発明の作用を示して簡単に説明する。
【００２７】
地面ａに埋設設置されたＵ型側溝用ブロック１の上部を切断除去して、その断面Ｕ型の切り残しブロック体１Ａの上部にブロック収容空間ｓを形成する。
【００２８】
この切り残しブロック体１Ａの左右の立ち上がり側壁１ａに架設状態にしてこの切り残しブロック体１を上方から閉塞するように前記Ｌ型側溝用ブロック２をブロック収容空間ｓに配した上で、このブロック収容空間ｓにコンクリート，モルタルなどの硬化性材料３を打設し、これを固化する。
【００２９】
これにより、既存のＵ型側溝の切り残しブロック体１Ａの上部にＬ型側溝用ブロック２を収容固定し、同時にこのＬ型側溝用ブロック２の下部にして切り残しブロック体１Ａの内部をＬ型側溝用排水路４として構成でき、ヒューム管の配管は不要で、またヒューム管とＬ型側溝の集水部とを連通状態に通水接続する施工も不要で、それだけ極めて簡単にして効率的に既存のＵ型側溝からＬ型側溝に改修できることとなる。
【００３０】
即ち、本発明は、Ｕ型側溝用ブロック１の上部を切断除去することで（特に例えばこのＵ型側溝用ブロック１の開口上部側に設けられた蓋設置用段部12よりも下部位置からこのＵ型側溝用ブロック１の上部を切断除去するなどして）十分な高さスペースを有するブロック収容空間ｓを形成でき、それだけ厚みのある強度の高いＬ型側溝用ブロック２をこのブロック収容空間ｓに配せることとなる。よって切り残しブロック体１Ａの内部を土などで埋めてＬ型側溝用ブロック２を補強する必要はなく、この切り残しブロック体１Ａの内部をフリースペースとしたままＬ型側溝用ブロック２をその上部に架設状態に設置できる。これにより、このＬ型側溝用ブロック２の下部にして切り残しブロック体１Ａの内部をＬ型側溝用排水路として利用でき、切り残しブロック体１Ａの内部を土などで埋める手間も、ヒューム管を配したり、このヒューム管とＬ型側溝の集水部とを通水する特別な施工も不要で、この側溝改修にかかる手間とコストを大幅に削減できることとなる。
【実施例】
【００３１】
本発明の具体的な実施例について図面に基づいて説明する。
【００３２】
本実施例は、図１（ａ）に図示したように、地面ａに埋設設置され、開口上部にコンクリート蓋やグレーチングなどの蓋体11を閉塞状態に設置する一般的な既存のＵ型側溝からＬ型側溝へと改修するための方法であって、地面ａに埋設設置されたＵ型側溝用ブロック１の上部を切断除去して、その断面Ｕ型の切り残しブロック体１Ａの上部にブロック収容空間ｓを形成し、この切り残しブロック体１Ａの左右の立ち上がり側壁１ａ上に架設状態にしてこの切り残しブロック体１を上方から閉塞するように前記Ｌ型側溝用ブロック２をブロック収容空間ｓに配した上で、このブロック収容空間ｓにコンクリート，モルタルなどの硬化性材料３を打設し、これを固化することで前記切り残しブロック体１Ａの上部のブロック収容空間ｓに前記Ｌ型側溝用ブロック２を収容固定すると共に、このＬ型側溝用ブロック２の下部にして前記切り残しブロック体１Ａの内部をＬ型側溝用排水路４として構成するＬ型側溝施工方法である。
【００３３】
以下、本実施例を具体的に説明する。
【００３４】
本実施例に用いるＬ型側溝用ブロック２は、図２〜図５に図示したように、この種のＬ型側溝用ブロック２として一般的な一部に肉薄部位を有する断面Ｌ型のコンクリートブロック体である。また、本実施例では、Ｌ型側溝用ブロック２を前記切り残しブロック１Ａの上部に架設状態に配し、その上に車両などが通過してもＬ型側溝用ブロック２の強度不足による破損の心配が無いように考慮してこのＬ型側溝用ブロック２の厚み形状を設定する。その為に、本実施例ではＵ型側溝用ブロック１の開口上部側に設けられた蓋設置用段部12より下部位置からこのＵ型側溝用ブロック１の上部を切断除去し、その切り残しブロック体１Ａの上部に、既存Ｕ型側溝に使用されていた蓋体11の板厚よりも高い十分な高さ寸法を有するブロック収容空間ｓを形成することとする。そして、このブロック収容空間ｓに配するＬ型側溝用ブロック２は、肉薄部位が前記既存Ｕ型側溝に使用されていた蓋体11の板厚と略等しい，或いはそれ以上の厚み形状となるように設定する。
【００３５】
従って、本実施例のＬ型側溝用ブロック２は切り残しブロック体１Ａ内を土などで埋めなくとも十分な強度が得られ、この切り残しブロック体１Ａ内を空けたまま切り残しブロック体１Ａの上部に架設状態に配することができる。
【００３６】
また、更に本実施例では、図３〜図５に図示したように、Ｌ型側溝用ブロック２の下面側全周部を下方から覆うように補強アングル13（補強板）を沿設固定し、また、Ｌ型側溝用ブロック２の下部には長手方向に所定間隔を介して断面コ字型の補強部材14を短手方向に延設状態に埋設し、更にこのＬ型側溝用ブロック２内には長手方向及び短手方向に夫々延設する鉄筋15を多数埋設し、これによりＬ型側溝用ブロック２の補強を図っている。
【００３７】
また、本実施例では、図２，図３及び図５に図示したように、集水部としてＬ型側溝用ブロック２の中央部に排水目皿部17を設けている。具体的には係止段部17ａを有する貫通部をＬ型側溝用ブロック２の中央部に形成し、その貫通部の係止段部17ａにグレーチング18を嵌合係止して前記貫通部にグレーチング18を設置して排水目皿部17を構成している。
【００３８】
本実施例では、Ｌ型側溝用ブロック２の下部の切り残しブロック体１Ａの内部をＬ型側溝用排水路４としている為、Ｌ型側溝用ブロック２の溝内を流れる雨水は、このＬ型側溝用ブロック２の中央部の集水部としての排水目皿部17を通じてその下部のＬ型側溝用排水路４へと流下排水される。従来、Ｌ型側溝の集水部と、地中に配管された（Ｌ型側溝用排水路４としての）ヒューム管とを通水状態に接続するための施工が必要であったが、この点本実施例においては、ヒューム管を地中に配管するのでは無く、切り残しブロック体１Ａの内部にしてＬ型側溝用ブロック２の下部スペースそのものをＬ型側溝用排水路４として構成している為、このＬ型側溝の集水部たるＬ型側溝用ブロック２の排水目皿部17と、Ｌ型側溝用排水路４とを通水状態に接続するための施工は不要で、単にＬ型側溝用ブロック２に排水目皿部17を設けることで必然的にこの排水目皿部17とその下部のＬ型側溝用排水路４とが通水状態に接続される。
【００３９】
本実施例では、このＬ型側溝用ブロック２を切り残しブロック体１Ａの左右の立ち上がり側壁１ａ上に架設状態に配する際に、この立ち上がり側壁１ａの上部載置面に載置支承される脚部５を、このＬ型側溝用ブロック２の左右両端側に夫々下方突出状態に設けている。
【００４０】
具体的には、Ｌ型側溝用ブロック２の四隅に夫々この脚部５を設ける。またこの脚部５は、前記Ｌ型側溝用ブロック２からの下方突出量を可変調整自在に構成する。
【００４１】
図６に図示したように、前記脚部５は周面に螺子部５ａを形成した螺子杆とし、一方、Ｌ型側溝用ブロック２の四隅には夫々、この脚部５の螺子部５ａを螺合する螺合部10ａを有する螺合孔10を上下方向に設ける。この各脚部５の螺子部５ａを、Ｌ型側溝用ブロック２の前記各螺合孔10の螺合部10ａに螺合させ、この螺合孔10に対して上下方向に脚部５を進退螺動操作することでＬ型側溝用ブロック２に対する各脚部５の下方突出量を夫々可変調整する構成とする。
【００４２】
螺合孔10は、図６に図示したように、Ｌ型側溝用ブロック２及びその下面側に沿設固定した前記補強アングル13を上下に貫通する貫通孔を形成し、その孔内に金属製の円筒部材16を嵌挿し、その下端と前記Ｌ型ブロック２の下面の前記補強アングル13とを溶接固定してなる構成で、またこの螺合孔10の前記円筒部材16の内部にして下端部にはナットが回り止め状態に溶接固定されてこのナットを螺合孔10の前記螺合部10ａとして構成している。
【００４３】
周面に螺子部５ａを設けた脚部５（螺子杆）は、図６に図示したように、軸方向上端部に六角レンチ，ドライバなどの工具先端を回り止め状態に差し込み可能な六角穴，十字穴などの差込穴19を設けている。本実施例では、この差込穴19として六角レンチを差し込み可能な六角穴を前記脚部５の軸方向上部端部に設ける構成とする。
【００４４】
従って、本実施例は、図６に図示したようにＬ型側溝用ブロック２の螺合部10の上方から六角レンチを挿入して、そのレンチ先端を前記螺合孔10ａ（ナット）に螺着した脚部５の差込穴19に差し込んで脚部５の螺動操作を操作性良く行うことができ、Ｌ型側溝用ブロック２の四隅夫々に設けた各脚部５の下方突出量を調整設定することで、路面に対する前記切り残しブロック体１Ａの高さ調整やＬ型側溝用ブロック２の排水勾配（傾斜姿勢）の調整を操作性良く良好に実施可能である。
【００４５】
以下、本実施例に係るＬ型側溝施工方法の手順例を説明する。
【００４６】
先ず、地面ａに埋設設置された既存のＵ型側溝用ブロック１の上部を切断除去する。
【００４７】
尚、Ｕ型側溝用ブロック１は、図１（ａ）に図示したように、開口上部側に設けた蓋設置用段部12にＵ型側溝用の蓋体11を設置する一般的なＵ型側溝用のコンクリートブロックである。
【００４８】
このＵ型側溝用ブロック１の上部の切断除去の手法としては種々あるが、本実施例においては、図１（ｂ）に図示したように、Ｕ型側溝用ブロック１に沿って移動させる既存のブロック切断装置Ｈを用い、このブロック切断装置Ｈの水平回転刃ｈにより前記Ｕ型側溝用ブロック１の開口上部側の所定位置（切断位置については下記に詳述する）に、不完全切断による切り込みを形成20し、次いで図１（ｃ）に図示したように、前記水平回転刃ｈを退避させ、前記形成した切り込み20に外側へ突出駆動する切断用介在部ｔを無理に押し入れることで前記切り込み20の奥部の切り残し部に亀裂を生じさせて切断を完了し、この切断完了したＵ型側溝用ブロック１の上部を持ち上げ除去して断面Ｕ型の切り残しブロック体１Ａを形成する。尚、この種の側溝用のブロック切断装置Ｈは従来から様々あるが、このような既存のブロック切断装置Ｈ自体の構造の具体的な説明は、本発明の要旨とは直接関係しないので省略する。
【００４９】
また、本実施例ではこのＵ側側溝用ブロックの蓋設置用段部12より下部位置からこのＵ型側溝用ブロック１の上部を切断除去することとする。具体的には、前記蓋体11の厚みよりも高い高さ寸法を有し且つ本実施例のＬ型側溝用ブロックの厚み形状よりもやや高さの有るブロック収容空間ｓを切り残しブロック体１Ａの上部に形成できるように考慮して切断位置を決定する。
【００５０】
次いで、図１（ｄ）に図示したように、切り残しブロック体１Ａの左右の立ち上がり側壁１ａの上部載置面に連結凹部６を設ける。この連結凹部６は、この切り残しブロック体１Ａの左右の立ち上がり側壁１ａに架設状態に配するＬ型側溝用ブロック２の各脚部５をその連結凹部６内に挿入し得る位置に設ける。
【００５１】
そして、この切り残しブロック体１Ａの左右の立ち上がり側壁１ａ上に架設状態にして前記ブロック体１Ａを上方から閉塞するように、ブロック収容空間ｓにＬ型側溝用ブロック２を配する。この際、このＬ型側溝用ブロック２の脚部５を前記連結凹部６内に配してこの立ち上がり側壁１ａの上部載置面に載置支承させると共に、この連結凹部６内に充填した接着剤７により脚部５を連結凹部６内に固定する。これにより、切り残しブロック体１Ａと前記Ｌ型側溝用ブロック２とを連結固定する。
【００５２】
具体的には、図１（ｅ）に図示したように、前記連結凹部６内に接着剤７を充填した上で、この連結凹部６内に前記Ｌ型側溝用ブロック２の各脚部５を配し、更にこの接着剤７が固化する前に、図１（ｆ）に図示したように各脚部５の下方突出量を調整し、Ｌ型側溝用ブロック２を設置する地面ａの高さなどの設置状況に応じて、このＬ型側溝用ブロック２の高さ調整や傾斜姿勢の調整を適宜行うことで、切り残しブロック体１Ａの上部にＬ型側溝用ブロック２を適切な高さ・傾斜姿勢で強固に連結固定できる。
【００５３】
尚、ブロック収容空間ｓにして切り残しブロック体１Ａの上部にＬ型側溝用ブロック２を配する際、Ｌ型側溝用ブロック２の下面と、これと対向する前記立ち上がり側壁１ａ上面との間隙にシーリング部材８を介在配設する。具体的には、図６に図示したように、Ｌ型側溝用ブロック２の下面と切り残しブロック体１Ａの立ち上がり側壁１ａ上面とでこのシーリング部材８を挟み保持しており、簡単にこの上下面間にシーリング部材８を固定配設できる。
【００５４】
次いで、図１（ｇ）に図示したように、Ｌ型側溝用ブロック２が配された前記ブロック収容空間ｓにコンクリート，モルタルなどの硬化性材料３を打設する。この際、前記シーリング部材８により、前記硬化性材料３がＬ型側溝用ブロック２と立ち上がり側壁１ａとの間隙を通過して切り残しブロック体１Ａ内に流入することを阻止できる。
【００５５】
図１（ｈ）に図示したように、この硬化性材料３を固化することで、切り残しブロック体１Ａの上部のブロック収容空間ｓに前記Ｌ型側溝用ブロック２を収容固定でき、また同時にこのＬ型側溝用ブロック２の下部にして切り残しブロック体１Ａの内部をＬ型側溝用排水路４として構成できる。尚、Ｌ型側溝用ブロック２の四隅の螺子孔10は、モルタルなどを充填し固定して塞ぐ。また、このＬ型側溝用ブロック２を埋設設置した地面ａの地表面を、このＬ型側溝用ブロック２と面一となるように適宜整地するなどしても良い。
【００５６】
本実施例は、上述のようにＬ型側溝用ブロック２の下部、即ち切り残しブロック体１Ａの溝内部を土などで埋めてその上にＬ型側溝用ブロック２を配するのではなく、この切り残しブロック体の溝内を空にしたままその上部にＬ型側溝用ブロック２を架設状態に設置固定し、このＬ型側溝用ブロック２の下部にして切り残しブロック体１Ａの溝内部のフリースペースをそのままＬ型側溝用排水路４として構成している。
【００５７】
よって、本実施例は、Ｕ型側溝用ブロック１を掘り出す作業は不要で、またＬ型側溝用ブロック２の下部スペースを土などで埋める作業も不要で、更にＬ型側溝用排水路４としてヒューム管を設ける必要もなく、従来に比して極めて簡単に作業効率良く既存のＵ型側溝からＬ型側溝へと改修する作業を達成でき、この側溝改修に係る手間とコストを大幅に削減できる画期的なＬ型側溝施工方法である。
【００５８】
尚、本発明は、本実施例に限られるものではなく、各構成要件の具体的構成は適宜設計し得るものである。
【図面の簡単な説明】
【００５９】
【図１】本実施例に係るＬ型側溝施工方法の手順説明図である。
【図２】本実施例に係るＬ型側溝施工方法により施工されたＬ型側溝の使用状態図である。
【図３】本実施例に係るＬ型側溝用ブロック２の説明断面図である。
【図４】本実施例に係るＬ型側溝用ブロック２の説明断面図である。
【図５】本実施例に係るＬ型側溝用ブロック２の説明断面図である。
【図６】本実施例に係るＬ型側溝施工方法の要部説明斜視図である。
【図７】従来例を示す説明図である。
【符号の説明】
【００６０】
１  Ｕ型側溝用ブロック
１Ａ  切り残しブロック体
１ａ  立ち上がり側壁
２  Ｌ型側溝用ブロック
３  硬化性材料
４  Ｌ型側溝用排水路
５  脚部
６  連結凹部
７  接着剤
８  シーリング部材
11  蓋体
12  蓋設置用段部
ａ  地面
ｓ  ブロック収容空間
【図１】
2008240358.tif 000003
【図２】
2008240358.tif 000004
【図３】
2008240358.tif 000005
【図４】
2008240358.tif 000006
【図５】
2008240358.tif 000007
【図６】
2008240358.tif 000008
【図７】
2008240358.tif 000009